(57)【要約】【課題】前面扉を上下方向に開閉させる機構を有しながらも、消火栓装置を小さくすることができ、前面扉の上方の点検用開口部からの点検作業を容易に行うことができる消火栓装置を得る。【解決手段】筐体２の前面開口部５を上下方向に移動して開閉自在にする前面扉１１を備えた消火栓装置１において、該前面扉１１の上下方向への移動をガイドするガイド手段１２と、該前面扉に上方へ移動する力を付与する動力付与手段１４とを有する扉開閉機構１５を該前面扉５の側方に位置させて設ける。【選択図】  図２
2004229791.tif 000002
【特許請求の範囲】
【請求項１】
筐体の前面開口部を上下方向に移動して開閉自在にする前面扉を備えた消火栓装置において、該前面扉の上下方向への移動をガイドするガイド手段と、該前面扉に上方へ移動する力を付与する動力付与手段とを有する扉開閉機構を該前面扉の側方に位置させて設けたことを特徴とする消火栓装置。
【請求項２】
該前面扉の上方に点検用開口部を設けたことを特徴とする請求項１記載の消火栓装置。
【請求項３】
該扉開閉機構における動力付与手段を定荷重ばねの復元力を動力源として利用するものとしたことを特徴とする請求項１又は２記載の消火栓装置。
【請求項４】
該前面扉と該扉開閉機構を該筐体の前面開口部が形成される前面板に設けたことを特徴とする請求項１、２又は３記載の消火栓装置。
【請求項５】
該前面板を該筐体に着脱自在に設けたことを特徴とする請求項４記載の消火栓装置。
【請求項６】
該扉開閉機構における動力付与手段をカバーによって覆ったことを特徴とする請求項４又は５記載の消火栓装置。
【請求項７】
該前面扉の裏面をカバーで覆ったことを特徴とする請求項１、２、３、４、５又は６記載の消火栓装置。
【発明の詳細な説明】
【０００１】
【発明の属する技術分野】
この発明は、例えばトンネル等に設備される消火栓装置に関する。
【０００２】
【従来の技術】
例えばトンネル等に設備される消火栓装置において、消火用ホースが収納される筐体は、一般にその前面に形成される消火用ホースを引き出したりするための前面開口部を覆う開閉自在の前面扉を備えている。
【０００３】
前記の如き前面扉を備えた消火栓装置において、前面扉をシャッター式（特許文献１参照）に構成したり又は多重扉板式（特許文献２参照）に構成して、前面扉を筐体の上下方向に開閉させるものが従来より知られている。
【０００４】
【特許文献１】実願平２−１１３２８３号マイクロフィルム
【特許文献２】実願平１−１５１３８０号マイクロフィルム
【０００５】
【発明が解決しようとする課題】
しかしながら、前記特許文献１に記載された従来例について述べれば、前面扉上方にシャッター部の巻き取り用の機構（ガイドローラ１６、巻き取りドラム１７等）が設けられており、又前記特許文献２に記載された従来例について述べれば、前面扉上方に多重扉板の係止機構や係止解除機構（係合片６ａ、スプリング１５、係止フック１６、操作釦１１等）が設けられている。即ち、前記特許文献１及び２に記載された従来例は、何れも前面扉を上下方向に開閉させるための機構で前面扉の上方に位置している必要のあるものが設けられている。
【０００６】
前記従来例の如く前面扉を上下方向に開閉させるための機構で前面扉上方に位置している必要のあるものが設けられていると、次の如き問題点が存する。
【０００７】
・前面扉の上方に位置している前面扉を上下方向に開閉させるための機構分、消火栓装置の高さ方向の寸法が増大することとなるので、消火栓装置が大きなものとなってしまう。
・消火栓装置において前面扉の上方に筐体内に収納される各種機器（例えば端子台等）を設けたい場合があるが、前面扉上方に位置している前面扉を上下方向に開閉させるための機構が点検作業の邪魔となり、前面扉の上方に点検が必要な各種機器および点検用開口部を設けることが出来なかった。
【０００８】
この発明は、上記事情に鑑み、前面扉を上下方向に開閉させる機構を有しながらも、消火栓装置を小さくすることができる消火栓装置を得ることを目的とし、更に、前面扉を上下方向に開閉させる機構を有しながらも、前面扉の上方の点検用開口部からの点検作業を容易に行うことができる消火栓装置を得ることを目的とする。
【０００９】
【課題を解決するための手段】
上記目的を達成するこの発明について述べれば、それは、筐体の前面開口部を上下方向に移動して開閉自在にする前面扉を備えた消火栓装置において、該前面扉の上下方向への移動をガイドするガイド手段と、該前面扉に上方へ移動する力を付与する動力付与手段とを有する扉開閉機構を該前面扉の側方に位置させて設けたことを特徴とする消火栓装置、である。
【００１０】
この発明の消火栓装置においては、扉開閉機構を前面扉の側方に位置させて設けたことで、前面扉を上下方向に開閉させるための機構で前面扉上方に位置させる必要のあるものをなくすることができるので、前面扉を上下方向に開閉させる機構を有しながらも、扉開閉機構により消火栓装置の高さ方向の寸法が増大するということがなく、又、前面扉上方に点検用開口部を設けたとしても、扉開閉機構が点検用開口部からの点検作業の邪魔になるということがない。
【００１１】
従って、この発明の消火栓装置によれば、前面扉を上下方向に開閉させる機構を有しながらも、消火栓装置を小さくすることができ、又、前面扉の上方の点検用開口部からの点検作業を容易に行うことができ、この点検作業中、扉開閉機構部を誤って損傷させることもない。
【００１２】
更に、この発明の消火栓装置によれば、扉開閉機構を前面扉の側方に位置させて設けたことで、前面扉と扉開閉機構の奥行き寸法が重なるということをなくすることができるので、前面扉とその開閉機構を有しながらも、両者の奥行き寸法を小さくすることができ、これによっても消火栓装置を小さくすることができる。
【００１３】
尚、この発明の消火栓装置において、扉開閉機構は、前面扉の左右両側方に設けてもよいし、左右何れか一側方に設けてもよい。
【００１４】
更に、この発明の消火栓装置によれば、動力付与手段を定荷重ばねの復元力を動力源として利用するものとすることで、動力付与手段を、軽量且つコンパクト、更には簡易な構成のものとすることができ、更に動力付与手段を前面扉の開閉動作の全ストロークに亘って一定の動力を前面扉に与えるものとすることができるので、解錠後は自動的に前面扉を全開させることができたり、又は前記定荷重ばねの復元力を前面扉の重量とバランスするように選べば、前面扉とガイドレールとの間などの摩擦により前面扉を開閉動作の途中の任意の位置で停止させたりすることができる。
【００１５】
尚、前記動力付与手段としては、前記利点が得られることから、定荷重ばねの復元力を動力源として利用するものとするのが好ましいが、それに限定されるものではないことは勿論であり、他の様々な構成の適用が可能である。例えば、定荷重ばね以外のばね部材やダンパーの復元力、錘の重み、モータの動力等を利用して動力を得るようにしてもよい。錘の重みを利用する場合の構成について述べれば、例えば、滑車を介して前面扉と錘をワイヤで繋ぎ、錘の重みを前面扉を上方に移動させる方向への力として作用させる様にすればよい。
【００１６】
更に、この発明の消火栓装置によれば、前面扉と扉開閉機構を筐体の前面開口部が形成される前面板に設ける様にすることで、前面板を筐体に対して着脱自在のものとすれば、前面開口部、前面扉、扉開閉機構及び前面板をユニット化することができるので、消火栓装置の組立に際しては、前面開口部、前面扉、扉開閉機構前面扉と扉開閉機構の筐体への組み付けをユニットの組み付けにより行うことができることから、組立作業を容易且つ能率良く行うことができ、又、消火栓装置設置後に前面扉及び扉開閉機構に不具合が生じた場合の保守に際しては、ユニット交換によって対処することができ、現場で修理する必要をなくすることができることから、保守作業を容易且つ能率良く行うことができる。
【００１７】
更に、この発明の消火栓装置によれば、前面扉と扉開閉機構を筐体の前面開口部が形成される前面板に設ける様にすることで、簡易な構成により扉開閉機構における動力付与手段をカバーによって覆うことができ、その様にすることで動力付与手段を粉塵等から保護することができる。特にトンネルに設置される消火栓装置の場合、粉塵等が多く存在する環境下に設置されることとなるので、前記の如く動力付与手段を粉塵等から保護することができる利益は非常に大きい。
【００１８】
更にこの発明の消火栓装置によれば、前面扉の裏面をカバーで覆うことで、前面扉の裏側を凹凸のない平坦な面とすることができる。従って、筐体内に収納されている消火用ホースがばらけたとしても、前面扉の裏側には消火用ホースが引っ掛かる様な凹凸がないので、ばらけた消火用ホースが前面扉の開閉の妨げとなるのを防ぐことができる。
【００１９】
【発明の実施の形態】
この発明の実施の形態の一例を添付図面に基づき説明する。尚、添付図面において、図１は、この発明の実施の形態の一例を示し、前面扉を閉めた状態における消火栓装置の正面図であり、図２は、同上を示し、図１の一部分の背面図であり、図３は、同上を示し、図２の平面図であり、図４は、同上を示し、前面扉を開けた状態における消火栓装置の正面図である。
【００２０】
添付図面において、１は消火栓装置であり、本実施の形態では泡により消火を行う泡消火栓装置を一例として示している。２は消火栓装置１の筐体であり、その内部にはノズル３を有する消火用ホース４等が収納されている。筐体２の前面側には、消火用ホース４を筐体２から外部に引き出したりするための前面開口部５が設けられており、又その前面開口部５を上下方向に移動して開閉自在にする前面扉１１が設けられている。
【００２１】
前面開口部５は、筐体の前面板の一例であるところの扉ユニット板６に形成されている。扉ユニット板６は、筐体２の前面に設けられた前面枠体７の扉ユニット用開口部８に着脱自在に設けられている。
【００２２】
尚、扉ユニット板６には、前面開口部５の上方に点検用開口部９が形成されており、この点検用開口部９は、筐体２内に収納されている機器、例えば端子台等を点検するためのもので、常時においては点検用開口部９に着脱自在に設けられた蓋体１０により閉じられている。
【００２３】
更に、扉ユニット板６には、前面開口部５を上下方向に移動して開閉自在にする前面扉１１が設けられており、又、前面扉１１の上下方向の移動をガイドするガイド手段の一例としてのガイドレール１２，１２と、前面扉１１に上方へ移動する力を付与する動力付与手段の一例としての動力付与部１４，１４とからなる左右一対の扉開閉機構１５，１５が前面扉１１の両側方に配置されて設けられている。
【００２４】
扉開閉機構１５、１５は、図２及び図３によりその詳細が明らかな通り、扉ユニット板６の裏面６ａに設けられており、前面扉１１の両側方に前面扉１１の側部に沿う如く設けられている。扉開閉機構１５，１５におけるガイドレール１２，１２は、前面扉１１の左右両側部の上下に設けられたローラー２０，２０が上下方向に転がるのをガイドする如く設けられており、それにより前面扉１１の上下方向の移動をガイドすることができる様になっている。扉開閉機構１５，１５における動力付与部１４，１４は、定荷重ばね１３，１３の復元力を動力源として利用するものであり、定荷重ばね１３，１３のドラム部１３ａ，１３ａがその図示しないブラケットにより動力付与部１４，１４の上部において扉ユニット板６の裏面６ａに固定して設けられ、ドラム部１３ａ，１３ａに巻回されて定荷重ばねを構成する板ばね１３ｂ，１３ｂの自由端部１３ｃ，１３ｃが支持体１６，１６を介して前面扉１１の裏面１１ａの左右端に接続されることで構成されており、定荷重ばね１３，１３の復元力、具体的には板ばね１３ｂ，１３ｂがドラム部１３ａ，１３ａに巻き戻ろうとする力が前面扉１１の重量よりも大きな復元力をもって定荷重ばね１３，１３が選ばれており矢印Ａ１方向の力として前面扉１１に作用することで、前面扉１１に上方に移動させる力を付与することができる様になっている。
【００２５】
尚、１７は、前面扉１１の裏面１１ａに設けられたラッチ機構であり、前面扉１１が全閉状態にあるときには、前面扉１１の両側部より外方に臨むラッチ部１７ｂ，１７ｂがガイドレール１２，１２に設けられた係止片１２ａ，１２ａと係合することで前面扉１１の全閉状態が保たれており、ラッチ部１７ｂ，１７ｂと係止片１２ａ，１２ａとの係合は前面扉１１の前面側に設けられたラッチ操作部１７ａを操作することで解くことができる様になっている。
【００２６】
又、１８は動力付与部１４，１４を覆うカバーであり、１９（図２において破線で示している）は前面扉１１の裏面１１ａを覆うカバーである。このカバー１９により、前面扉１１の裏面１１ａに設けられたもの、即ち前記ラッチ機構１７や前記支持体１６，１６が覆われている。
【００２７】
消火栓装置１の前面扉１１を開ける際には、ラッチ操作部１７ａを操作してラッチ部１７ｂ，１７ｂの係合を解除すれば、動力付与部１４，１４の定荷重ばね１３，１３の合わせた復元力が前面扉１１の重量よりも大きく選定されているので、前面扉１１を、動力付与部１４，１４の動力により、又ガイドレール１２，１２のガイドにより自動的に上方へ移動させることができる。
【００２８】
この発明の消火栓装置１においては、前面扉１１の扉開閉機構１５，１５は前面扉１１の側方に位置しており、前面扉１１の上方に前面扉１１を上下方向に開閉させるための機構は何等存在しない。従って、前面扉１１を上下方向に開閉させる機構を有しながらも、その機構により消火栓装置１の高さ方向の寸法が増大するということがないので、消火栓装置１を小さくすることができ、運搬や在庫において有効であり、更に、図示は省略するが、例えば、前面扉１１の上方に点検用開口部９を設けず、扉開閉機構１５，１５の支持体１６，１６を前面扉１１の裏面１１ａの下部左右端に接続して設け、且つ前面扉１１を筐体２の図示しない天板から上方に抜けるように構成すれば、より消火栓装置１を小さくすることができ、又、本実施の形態の様に前面扉１１の上方に点検用開口部９を設けている場合に、扉開閉機構１５，１５が点検用開口部９からの点検作業の邪魔になるということがないので、その作業を容易に行うことができ、更に、点検用開口部９を大きく形成することが可能となるので、点検用開口部９を大きく形成すれば点検作業をより容易に行うことができる。
【００２９】
更に、この発明の消火栓装置１においては、扉開閉機構１５，１５を前面扉１１の側方に位置していることで、図３に示される通り、前面扉１１と扉開閉機構１５，１５の奥行き寸法が重ならない配置となっているので、両者の奥行き寸法が重なる場合に比して寸法を小さくすることができ、消火栓装置１を薄く小さくすることができる。
【００３０】
更に、この発明の消火栓装置１においては、扉開閉機構１５，１５における動力付与部１４，１４は定荷重ばね１３，１３の復元力を動力源として利用している。従って、動力付与部１４，１４を、軽量且つコンパクト、更には簡易な構成のものとすることができる。又、定荷重ばね１３，１３によって前面扉１１の開閉動作の全ストロークに亘って一定の動力を前面扉１１に与えることができるので、定荷重ばね１３，１３の復元力を前面扉１１の重量よりも大きくして定荷重ばね１３，１３の復元力のみによって前面扉１１を上方へ移動させる様にした場合には、前面扉１１を解錠した後は自動的に前面扉１１を全開させることができる。このような構成であると、消火活動において前面扉１１の解錠動作だけで済み、前面扉１１を持ち上げることと上端での前面扉１１のロックの確認が不要なので、速やかにできる。又、定荷重ばね１３，１３の復元力を前面扉１１の重量とバランスさせた場合には、前面扉１１とガイドレール１２との間などに適度な摩擦があるので、前面扉１１を開閉動作の途中の任意の位置で停止させることもできる。このような構成では、前面扉１１の開閉操作は非常に軽く、又、前面扉１１を開閉動作の途中の任意の位置で停止できるので、全開に至らずに開けてノズル３を取り出すなど、次の操作をしても前面扉１１が下降して消火用ホース４の繰り出しを妨げることがなく消火活動が速やかにできる。
【００３１】
更に、この発明の消火栓装置１においては、前面扉１１と扉開閉機構１５，１５を扉ユニット板６に設けることで、前面開口部５、前面扉１１、扉開閉機構１５，１５及び扉ユニット板６からなる扉ユニットＵ１を構成することができる。従って、消火栓装置１の組立に際しては、前面開口部５、前面扉１１、扉開閉機構１５，１５の筐体２への組み付けを扉ユニットＵ１の組み付けにより行うことができるので、組立作業を容易且つ能率良く行うことができ、又、消火栓装置１を設置後に前面扉１１又は扉開閉機構１５，１５に不具合が生じた場合の保守に際しては、扉ユニットＵ１の交換によって対処することができ、現場で修理する必要をなくすることができるので、保守作業を容易且つ能率良く行うことができる。
【００３２】
更に、この発明の消火栓装置１においては、前面扉１１と扉開閉機構１５，１５を扉ユニット板６の裏面６ａに設けることで、簡易な構成、即ち簡単に被せるだけで対象を覆うことができるカバー１８により動力付与部１４，１４を覆うことができる。そしてこのカバー１８により動力付与部１４，１４を粉塵等から保護することができる。
【００３３】
更に、この発明の消火栓装置１においては、前面扉１１の裏面１１ａをカバー１９で覆うことで、前面扉１１の裏側を凹凸のない平坦な面とすることができるので、筐体２内に収納されている消火用ホース４がばらけたとしても、前面扉１１の裏側には消火用ホース４が引っ掛かる様な凹凸がないので、ばらけた消火用ホース４が前面扉１１の開閉の妨げとなるのを防ぐことができる。
【００３４】
本実施の形態では、消火栓装置として泡消火栓装置で説明したが、泡を用いた消火栓装置だけでなくどのような消火栓装置でもよい。又、点検用開口部を前面扉の上方としたが、扉開閉機構の邪魔にならない所であればどこに設けてもよい。
【００３５】
【発明の効果】
この発明の消火栓装置は上記の如く構成されているので、前面扉を上下方向に開閉させるための機構で前面扉上方に位置させる必要のあるものをなくすることができるので、前面扉を上下方向に開閉させる機構を有しながらも、扉開閉機構により消火栓装置の高さ方向の寸法が増大するということがなく、又、前面扉上方に点検用開口部を設けたとしても、扉開閉機構が点検用開口部からの点検作業の邪魔になるということがない。
【００３６】
従って、この発明の消火栓装置によれば、前面扉を上下方向に開閉させる機構を有しながらも、消火栓装置を小さくすることができ、又、前面扉の上方の点検用開口部からの点検作業を容易に行うことができる。
【図面の簡単な説明】
【図１】この発明の実施の形態の一例を示し、前面扉を閉めた状態における消火栓装置の正面図である。
【図２】同上を示し、図１の一部分の背面図である。
【図３】同上を示し、図２の平面図である。
【図４】同上を示し、前面扉を開けた状態における消火栓装置の正面図である。
【符号の説明】
１      消火栓装置
２      筐体
３      ノズル
４      消火用ホース
５      前面開口部
６      扉ユニット板
６ａ    裏面
７      前面枠体
８      扉ユニット用開口部
９      点検用開口部
１０    蓋体
１１    前面扉
１１ａ  裏面
１２    ガイドレール
１２ａ  係止片
１３    定荷重ばね
１３ａ  ドラム部
１３ｂ  板ばね
１３ｃ  自由端部
１４    動力付与部
１５    扉開閉機構
１６    支持体
１７    ラッチ機構
１７ａ  ラッチ操作部
１７ｂ  ラッチ部
１８    カバー
１９    カバー
２０    ローラー
【図１】
2004229791.tif 000003
【図２】
2004229791.tif 000004
【図３】
2004229791.tif 000005
【図４】
2004229791.tif 000006